(57)【要約】【課題】たとえ、ランプを含む光学部品がスクリーンの真後ろに配置されている光学系においても、ユーザーがランプユニットを交換する際には、ユーザーがランプ設置個所を充分確認できる様にし、目で確認しながらランプ交換の作業をスムーズに行うことができるリアプロジェクションディスプレイを提供することである。【解決手段】画面に光を投射するリアプロジェクションディスプレイにおいて、ランプユニット１６を保持するためのランプベース７が可動部７ａを有する。【選択図】  図１
2006220788.tif 000002
【特許請求の範囲】
【請求項１】
画面に光を投射するリアプロジェクションディスプレイであって、ランプユニットを保持するためのランプベースが可動部を有するリアプロジェクションディスプレイ。
【請求項２】
前記可動部は、ランプユニットの交換時に、ランプユニットをリアプロジェクションディスプレイの正面から交換できる様に、ランプユニットを保持した状態で可動できる様に構成される請求項１記載のリアプロジェクションディスプレイ。
【請求項３】
前記可動部は、ランプユニットを保持した状態で機器本体の下方または上方に回転またはスライドできる様に構成される請求項２記載のリアプロジェクションディスプレイ。
【請求項４】
前記ランプベースは、機器本体の垂直方向においてスクリーン面の表示範囲とオーバーラップする位置にランプユニットを保持する様に配置され、且つ、映像光の光軸がスクリーン面に対して９０°未満で入射する斜入射光学系を備える請求項１乃至３のいずれかに記載のリアプロジェクションディスプレイ。
【発明の詳細な説明】
【技術分野】
【０００１】
本発明は、反射ミラーを使用して像をスクリーンに投射させる装置、特にリアプロジェクションディスプレイに関するものである。
【背景技術】
【０００２】
近年、スクリーン部材の背面側から投射された光像を該スクリーン部材の正面側から視認する様にしたリアプロジェクションディスプレイ（背面投射型プロジェクタ装置）が提案されている。
【０００３】
この様なリアプロジェクションディスプレイは、ＣＲＴディスプレイ装置と比較して、大画面でありながら奥行きや設置面積が小さくて済むという特徴を有している。斜入射光学系を採用したリアプロジェクションディスプレイの構造例を、図５、図６、図７、図８に図示する。図５は、機器の筐体１からランプユニット１６を外した状態を示す内部側面図、図６は、機器の筐体１内にランプユニット１６を設置した状態を示す内部側面図、図７は背面斜め上から見た内部構造を示す斜視図、図８は機器の背面から見た構造を示す図である。
【０００４】
機器の筐体１及びエスカッションと呼ばれる前面パネル２を有する上記のリアプロジェクションディスプレイ構造において、ランプベース７に収納されたランプユニット１６の中に構成されるランプ９からの光を映像出力機１４が受け、映像光４を反射ミラー１３、天井反射ミラー３で反射させ、スクリーンを構成するフレネルレンズ６、レンチキュラースクリーン５に向かって投射する。この時、図５と図６に示す様に、映像光４の光軸１７がフレネルレンズ６に入射する角度Θは９０°未満である。これを斜入射光学系と称している。この斜入射光学系においては、映像光を作成する映像出力機１４、光源のランプユニット１６、それを保持するランプベース７が、図５、図６、図７、図８に示されている様に、スクリーンを構成するフレネルレンズ６及びレンチキュラースクリーン５の真後ろ、即ち、機器本体の垂直方向において、スクリーン面の表示範囲とオーバーラップする位置に配置されていても、映像光４を遮蔽しないため該配置は可能になる。また、この構造において、ランプユニット１６（ランプユニット１６はランプ９、ランプ固定筐体１０などで構成されている）は、ユーザーが交換できる仕様になっている。即ち、図５に示す様に、ランプユニット１６をディスプレイの正面方向から差込み、Ｄの矢印の様に収納し、例えば、ランプ固定フランジ部１０ｃとランプベースフランジ部７ｄ及びランプ固定フランジ部１０ｄとランプベースフランジ部７eを、それぞれ、ビス１５ａ、１５ｂで固定して、図６に示す様にランプユニット１６を収納固定して使用する構成になっている。
【０００５】
しかしながら、上記の技術では、図５、図６、図７、図８に示す様に、映像光を作成する映像出力機１４、光源のランプユニット１６、それを保持するランプベース７が、上記した位置に配置されているため、ランプユニット１６を機器の正面からユーザーが交換しようとした時、ユーザーはスクリーン部に邪魔されて、ランプベース７を確認できず、目で確認しながらのランプユニット１６の交換はできない。そのため、手探りでのランプユニット１６の交換作業になってしまう。この様に、上記の如き斜入射光学系を採用したリアプロジェクションディスプレイにおいては、ランプユニット１６の交換作業をする際、スクリーン部が邪魔になり、ランプユニット１６の上記の如き収納配置が、交換作業のやり易さを著しく阻害させている要因になっていた。
【０００６】
ランプ交換は基本的には機器の正面側で行うのがベストである。なぜなら、機器の背面側は壁に密着させて設置させていることがよくあり、この場合、ランプ交換の際は機器を壁から離して、ランプ交換をするスペースを確保する必要があるからである。また、側面側についても、機器の側面には色々な物を置いたりしていることがよくある。このため、ランプ交換の際は、これらの荷物を退けてランプ交換のスペースを確保する必要がある。したがって、ランプ交換は機器の正面側で作業できることがベストになってくる。
【０００７】
こうしたランプ交換に関しての提案として、ランプユニットの収納配置場所は上記のものと異なるが、ランプ交換時に妨げになる部材（前面パネル）を取り除いて正面からランプ交換をするという提案がある（特許文献１）。
【特許文献１】特開平09-098358号公報
【発明の開示】
【発明が解決しようとする課題】
【０００８】
しかしながら、上記提案は、スクリーンの真後ろ、即ち、機器本体の垂直方向においてスクリーン面の表示範囲とオーバーラップする位置に、ランプユニットが配置されていない構成に係るものである。したがって、ランプユニットを図５乃至図８に示す如き箇所に収納配置する構成において、ランプ交換作業を機器の正面側で容易にできる様にした提案はいまだなされていない。
【課題を解決するための手段】
【０００９】
上記課題に鑑み、本発明のリアプロジェクションディスプレイは、画面に光を投射するリアプロジェクションディスプレイであって、ランプユニットを保持するためのランプベースが可動部を有することを特徴とする。可動部は、ヒンジ構造などで回転可能な部分であったり、スライド構造などで平行移動可能な部分であったりする。
【００１０】
本発明において、前記可動部は、ランプユニットの交換時に、ランプユニットをリアプロジェクションディスプレイの正面から交換できる様に、ランプユニットを保持した状態で可動できる様に構成されたり（例えば、機器本体の下方または上方に回転またはスライドする）、前記ランプベースは、機器本体の垂直方向においてスクリーン面の表示範囲とオーバーラップする位置にランプユニットを保持する様に配置され、且つ、映像光の光軸がスクリーン面に対して９０°未満で入射する斜入射光学系を備えたりする。
【発明の効果】
【００１１】
上に説明した様に、本発明によれば、たとえ、ランプを含む光学部品がスクリーンの真後ろに配置されている光学系においても、ランプベースが可動部を有しているので、ユーザーがランプユニットを交換する際には、ユーザーがランプ設置個所を充分確認できる様にし、目で確認しながらランプ交換の作業がスムーズに行うことが可能になる。
【発明を実施するための最良の形態】
【００１２】
以下に本発明の実施形態について説明する。図１、図２は本発明の第一の実施形態を説明する側面図、図３は本実施形態を説明する斜視図である。図１、図２において、図５乃至図８の符号と同じ符号は同じ構成要素を示す。異なる部分は、ランプベース蓋７ａ、ランプベース蓋凸部７ｂ、ランプベース蓋ボス７ｃ、回転軸８、ランプ固定筐体フック部１０ａ、ランプ固定筐体フランジ部１０ｂ、ビス１１などである。
【００１３】
図１の構成において、ランプユニット１６の固定作業の場合は、着脱可能或いは開閉可能な前面パネル（不図示）を外すか開放して、開口２０（例えば、手が余裕をもって入る位の150ｍｍ×200ｍｍ程度の開口）を通してランプユニット１６を機器の正面側からＡ方向に差込み、ランプベース蓋凸部７ｂに、ランプ固定筐体フック部１０ａを引っ掛け、ランプベース蓋ボス７ｃにランプ固定筐体フランジ部１０ｂをビス１１で固定する。次に、ランプベース蓋７ａを、回転軸８を中心にして、Ｂ方向に回転させる。そして、図２に示す使用ないし収納状態にし、化粧ビス１２などでランプベース蓋７ａをランプベース７に固定する。ランプユニット１６をランプベース７から取り外す場合は、この逆の作業を行えばよい。この構成では、ランプユニット１６が開口２０と同じレベルにある状態で固定作業や取り外し作業ができたり、ランプベース７の手前側の所でビスなどを取り扱えばよいので、正面の開口２０からランプユニット１６を見ながら固定作業、取り外し作業をすることができ、またランプユニット１６が見えない作業の場合でも手前の方での作業であるので比較的楽に行える。
【００１４】
上記構成において、ランプベース蓋７ａをなくして、回転軸８に対してランプ固定筐体フック部１０ａを引っ掛ける様な構造にし、化粧ビスなどでランプ固定筐体フランジ部１０ｂをランプベース７に直接固定する様にもできる。
【００１５】
次に、図４に第２の実施形態を示す。図４においても、図５乃至図８の符号と同じ符号は同じ構成要素を示す。この構成では、ランプユニット１６の固定作業の場合は、ランプユニット１６を機器の正面側からＥ方向に差込み、ランプベースＬ型蓋凸部７ｇに、ランプ固定筐体フック部１０ａを引っ掛け、ランプベースＬ型蓋ボス７ｈにランプ固定筐体フランジ部１０ｂをビス１１で固定する。次に、ランプベースＬ型蓋７ｆをＦ方向にスライドさせ、ランプベース７内に収納する。最後は、ランプベースＬ型蓋７ｆを化粧ビス（不図示）などでランプベース７に固定する。ランプユニット１６をランプベース７から取り外す場合は、この逆の作業を行えばよい。この構成でも、ランプユニット１６が開口２０と同じレベルにある状態で固定作業や取り外し作業ができたり、ランプベース７の手前側の所でビスなどを取り扱えばよいので、正面の開口２０からランプユニット１６を見ながら固定作業、取り外し作業をすることができ、またランプユニット１６が見えない作業の場合でも手前の方での作業であるので比較的楽に行える。
【００１６】
上記スライドさせる構造としては、レール構造などが用いられ、図４の位置までランプベースＬ型蓋７ｆを下方にスライドさせるとランプベースＬ型蓋７ｆがランプベース７側のストッパで止められる構造などが採用できる。しかし、ランプユニット１６が固定されたランプベースＬ型蓋７ｆがランプベース７側のスライド構造から取り外せたり、これに嵌め込んだりできる構造とすることもできる。こうした場合には、ランプユニット１６のランプベースＬ型蓋７ｆへの固定作業やこれからの取り外し作業を機器の外で行うことができる。
【図面の簡単な説明】
【００１７】
【図１】図１は本発明の第一の実施形態のランプユニット１６を取り外した状態を説明する側面図。
【図２】図２は本発明の第一の実施形態のランプユニット１６を収納した状態を説明する側面図。
【図３】図３は本発明の第一の実施形態を説明する斜視図。
【図４】図４は本発明の第二の実施形態のランプユニット１６を取り外した状態を説明する側面図。
【図５】図５は従来からの考え方による例のランプユニット１６を外した状態を示す内部側面図。
【図６】図６は図５の例のランプユニット１６を設置した状態を示す内部側面図。
【図７】図７は図５の例の背面斜め上から見た構造を示す斜視図。
【図８】図８は図５の例の背面から見た構造を示す背面図。
【符号の説明】
【００１８】
７・・・ランプベース
７ａ・・・ランプベース蓋（可動部）
７ｆ・・・ランプベースＬ型蓋（可動部）
９・・・ランプ
１６・・・ランプユニット
１７・・・映像光の軸
【図１】
2006220788.tif 000003
【図２】
2006220788.tif 000004
【図３】
2006220788.tif 000005
【図４】
2006220788.tif 000006
【図５】
2006220788.tif 000007
【図６】
2006220788.tif 000008
【図７】
2006220788.tif 000009
【図８】
2006220788.tif 000010